(57)【特許請求の範囲】
【請求項１】
歌詞字幕発生手段（11）と、主映像制御手段（20-22）と、主映像再生手段（25,26）と、挿入映像制御手段（30-33）と、挿入映像再生手段（35,36）と、映像合成手段（34,12）と、制御手段（10）とを備え、楽曲データの処理を行うカラオケ装置であって、
楽曲データは、歌詞表示データと、主映像選択データと、複数の挿入映像選択データとを含み、
各挿入映像選択データは、挿入映像指定データと、挿入期間指定データを含み、
制御手段（10）は、選択された楽曲データの歌詞表示データを歌詞字幕発生手段（11）に、主映像選択データを主映像制御手段（20-22）に、挿入映像選択データを挿入映像制御手段（30-33）にそれぞれ供給し、
歌詞字幕発生手段（11）は、供給される歌詞表示データに基づいて歌詞字幕映像を生成し、
主映像制御手段（20-22）は、供給される主映像選択データに基づいて、主映像再生手段（25,26）から１つの主映像データを抽出して主映像を生成させ、
挿入映像制御手段（30-33）は、供給される挿入映像選択データに基づいて、挿入期間指定データに対応する期間にて挿入映像再生手段（35,36）から挿入映像指定データに対応する１つの挿入映像データを抽出して挿入映像を生成させ、
映像合成手段（34,12）は、主映像と挿入映像を合成して合成映像を生成するとともに、合成映像に歌詞字幕映像を合成して表示手段（４）に出力する
カラオケ装置。
【発明の詳細な説明】
【０００１】
【産業上の利用分野】
この発明は、複数の映像データを合成して背景映像（ＢＧＶ）を構成するカラオケ装置に関する。
【０００２】
【従来の技術】
カラオケ装置は、楽曲の演奏に合わせて、画面に歌詞を表示するとともに、この楽曲の雰囲気を盛り上げるための映像データをＢＧＶとして再生し同時に表示する。しかし、１曲分のＢＧＶの映像データは非常に大きいものであり、数百曲から数千曲記憶される楽曲データごとにＢＧＶを記憶しようとすれば非常に大きな容量の記憶装置が必要となる。
【０００３】
そこで、現在、楽曲データとして楽音，歌詞を合成するためのコード化されたデータのみ記憶しておき、これとは別に記憶された数シーンのＢＧＶの映像データの中から適当なルールに従って１つを読み出して再生表示するカラオケシステムが実用化されている。
【０００４】
【発明が解決しようとする課題】
しかし、この装置では、記憶している楽曲データの曲数に比べてＢＧＶのシーン数が少ないため、異なる曲を演奏しているのに同じＢＧＶが再生される場合があり利用者に飽きられるおそれがあった。また、この方式の装置では映像データとしてどの曲のＢＧＶにも使用できる一般的な映像を記憶しているため、曲の雰囲気を盛り上げる効果をそれほど期待できない欠点があった。
【０００５】
この発明は、複数の映像データ記憶装置からそれぞれ映像データを読みだして合成し、１つの映像データを構成することにより、少ない映像データ容量で極めて多種類の映像データを構成することができるカラオケ装置を提供することを目的とする。
【０００６】
【課題を解決するための手段】
この発明は、映像合成システムに特徴を有するカラオケ装置に係り、つぎの事項Ａ〜Ｈにより特定されるものである。
《Ａ》歌詞字幕発生手段（11）と、主映像制御手段（20-22）と、主映像再生手段（25,26）と、挿入映像制御手段（30-33）と、挿入映像再生手段（35,36）と、映像合成手段（34,12）と、制御手段（10）とを備え、楽曲データの処理を行うカラオケ装置である。
《Ｂ》楽曲データは、歌詞表示データと、主映像選択データと、複数の挿入映像選択データとを含む。
《Ｃ》各挿入映像選択データは、挿入映像指定データと、挿入期間指定データを含む。
《Ｄ》制御手段（10）は、選択された楽曲データの歌詞表示データを歌詞字幕発生手段（11）に、主映像選択データを主映像制御手段（20-22）に、挿入映像選択データを挿入映像制御手段（30-33）にそれぞれ供給する。
《Ｅ》歌詞字幕発生手段（11）は、供給される歌詞表示データに基づいて歌詞字幕映像を生成する。
《Ｆ》主映像制御手段（20-22）は、供給される主映像選択データに基づいて、主映像再生手段（25,26）から１つの主映像データを抽出して主映像を生成させる。
《Ｇ》挿入映像制御手段（30-33）は、供給される挿入映像選択データに基づいて、挿入期間指定データに対応する期間にて挿入映像再生手段（35,36）から挿入映像指定データに対応する１つの挿入映像データを抽出して挿入映像を生成させる。
《Ｈ》映像合成手段（34,12）は、主映像と挿入映像を合成して合成映像を生成するとともに、合成映像に歌詞字幕映像を合成して表示手段（４）に出力する。
【０００８】
【作用】
この発明に係るカラオケ装置は、楽曲データ記憶手段に複数の楽曲データを記憶しており、このなかから１曲が曲選択手段によって選択される。この曲選択手段で選択された楽曲データに基づき楽音・歌詞を合成して曲を演奏するとともに歌詞を表示する。さらに、この楽曲データから映像選択データが読み出され、この映像選択データに基づいて主映像データ記憶手段および挿入映像データ記憶手段から主映像データおよび挿入映像データが読み出される。
【０００９】
読み出された主映像データおよび挿入映像データは映像データ合成手段によって合成されて１つの映像データ（ＢＧＶ）として構成される。このように楽曲データから読み出された映像選択データに基づいて主映像データを選択することに加え挿入映像データを主映像に合成するため少ないデータ容量で、その曲に適したＢＧＶの構成が可能になる。
【００１０】
また、請求項２の発明では、挿入映像データに関する映像選択データを曲の進行に沿って時系列に複数の映像データを指定するデータとした。したがって、このデータに基づいて時系列に映像データを選択挿入すれば、曲の流れに応じた複数の挿入映像データを選択し、曲に雰囲気にマッチした映像データの合成が可能になる。
【００１１】
【実施例】
図１はこの発明の実施例であるカラオケシステムの構成を示す図である。このカラオケシステムは、カラオケ装置本体１，プライマリ映像再生機２およびセカンダリ映像再生機３からなっている。このカラオケシステムは、利用者が曲を選択すると、その曲の伴奏音（カラオケ音）および歌詞字幕をカラオケ装置本体１が発生し、ＢＧＶをプライマリ映像（主映像）再生機２，セカンダリ映像（挿入映像）再生機３の両方から読み出された映像データに基づいて構成するものである。前記歌詞字幕は、ＢＧＶにスーパーインポーズで表示される。ここで、プライマリ映像再生機２が再生するプライマリ映像データとは、曲の最初から最後まで表示されるＢＧＶであり、この発明の主映像データに対応する。セカンダリ映像再生機３が再生するセカンダリ映像データとは、プライマリ映像中に断続的に挿入・合成され、ＢＧＶの雰囲気を付加的に盛り上げるための映像データであり、この発明の挿入映像データに対応する。プライマリ映像データとしては、たとえば、どのような曲にもＢＧＶとして用いることのできる「港」や「海岸」などの映像を記憶しておき、セカンダリ映像データとしては「カモメ」，「ヨット」や「オリジナル歌手本人」などの特別な映像を記憶しておき、曲それぞれの雰囲気に合わせて選択的に組み合わせる。これらの映像を合成することにより、港にカモメが飛んでいる映像や港に歌手本人が訪れた映像を構成して画面表示することができる。
【００１２】
カラオケ装置本体１は、このカラオケシステム全体を制御する。制御部１０を有しており、この制御部１０は複数の楽曲データを記憶した記憶部を含んでいる。さらに、図示しないが、この制御部１０には音源装置やマイク，スピーカなどが接続されており、利用者が選択した曲の演奏データに基づいて歌唱音，伴奏音をスピーカから放出するとともに、歌詞字幕発生部１１に対して伴奏に同期した歌詞シーケンスデータを送出する。また、前記制御部１０は選択された曲の楽曲データに含まれているジャンルデータおよびセカンダリ映像トラックのシーケンスデータ（図２（Ａ），  （Ｂ）参照）をそれぞれ、プライマリ映像再生機２およびセカンダリ映像再生機３に送出する。
【００１３】
ここで、図２（Ａ）を参照して前記制御部１０に記憶されている楽曲データの構成を説明する。制御部１０には、数百〜数千の曲目の楽曲データが記憶されており、利用者のリモコンなどによる選択によってその中から１曲が選択される。１つの楽曲データは同図に示すように、ヘッダ，演奏データトラック，歌詞トラックおよびセカンダリ映像トラックからなっている。ヘッダには、この楽曲データの曲名や演奏時間のほか曲の種類およびその雰囲気を表すジャンルデータが含まれている。ジャンルデータは、上述したように「演歌・冬」などのような曲のジャンルや雰囲気を表すデータである。このジャンルデータに基づいてプライマリ映像データが選択される。演奏データトラックには、カラオケ演奏の演奏データ（楽音発生のためのシーケンスデータ）が書き込まれている。この演奏データは、制御部１０に接続されている音源回路（図示せず）に入力される。音源回路はこの演奏データに基づき所定の音高，所定の音色の楽音信号を発生する。なお、この演奏データはＭＩＤＩデータで記憶しておけばよい。歌詞トラックには、演奏に同期してモニタ４に表示される歌詞の字幕データが記憶されている。このデータは文字データとその表示位置，表示タイミング順に記憶したシーケンスデータであり、このシーケンスにしたがって表示してゆくことにより、演奏データトラックによる演奏に同期して歌詞を表示することができる。
【００１４】
同図（Ｂ）はセカンダリ映像トラックの一部を示す図である。セカンダリ映像データとは、上述したようにプライマリ映像データに断続的に挿入される映像データであり、断続的にデータを読み出すためにセカンダリ映像トラックはシーケンスデータとして構成されている。１つのセカンダリ映像を表示するためのデータとしては、表示開始タイミングｄｔ，表示内容のヒントデータＨｉｎｔ，表示時間ｄＴが含まれ、この他に、表示位置データやフェードイン，フェードアウトを指示するデータを含めることもできる。このシーケンスデータをセカンダリ映像再生機３内のセカンダリ映像シーケンサ３３で順次読み出してゆくことによりセカンダリ映像データがプライマリ映像データに合成して表示される。
【００１５】
図１において、プライマリ映像再生機２は、制御部１０から送られてきたジャンルデータを受信するデータ受信部２１を有している。このデータ受信部２１はバスに接続されており、このバスにはこの他にＣＰＵ２０、再生映像決定部２２、圧縮解凍部２５およびＣＤ−ＲＯＭドライブ２６が接続されている。また、圧縮解凍部２５にはＣＤ−ＲＯＭドライブ２６から圧縮された映像データが入力される。このＣＤ−ＲＯＭドライブ２６には１枚または複数枚のＣＤ−ＲＯＭ２７がセットされている。このＣＤ−ＲＯＭ２７には、カラオケのプライマリ映像となるような映像データが図２（Ｃ）のフォーマットで各チャプタ毎に複数シーン記憶されている。ＣＤ−ＲＯＭ２７に多くの映像データを記憶するため、各映像データは圧縮されている。プライマリ映像となるような映像データとは、たとえば、上述したように「港」や「海岸」などの一般的なＢＧＶとなるような映像であり、曲を通して表示されるためその再生時間が３〜４分以上のものである。このＣＤ−ＲＯＭ２７に記憶されている各チャプタの映像データの内容を表すデータ（「港」，「海岸」など）は、映像データテーブル（図２（Ｄ））のように再生映像決定部２２に記憶されている。カラオケ装置本体１の制御部１０から送られてきたジャンルデータは、データ受信部２１を介してＣＰＵ２０の制御のもと再生映像決定部２２に入力される。再生映像決定部２２は、このジャンルデータに基づいてどの映像データを再生するかを決定する。ジャンルデータは、「演歌・冬」のようになど映像データを選択する際のヒントになるようなデータであり、再生映像決定部２２は、このジャンルデータで前記映像データテーブルを参照して再生する映像データ（チャプタナンバ）を決定する。
【００１６】
再生映像決定部２２が決定したチャプタナンバはＣＤ−ＲＯＭドライブ２６に入力される。ＣＤ−ＲＯＭドライブ２６は、入力されたチャプタナンバでＣＤ−ＲＯＭ２７を検索してその映像データを再生する。読み出された映像データはＣＤ−ＲＯＭドライブ２６から圧縮解凍部２５に入力される。圧縮解凍部２５は、この映像データの圧縮を解除して通常のビデオ信号にデコードする。デコードされたビデオ信号はセカンダリ映像再生機３のビデオミキサ３４に出力される。
【００１７】
セカンダリ映像再生機３は、制御部１０から送られてきたセカンダリ映像シーケンスデータを受信するデータ受信部３１を有している。このデータ受信部３１はバスに接続されており、このバスには、この他にＣＰＵ３０、再生映像決定部３２、セカンダリ映像シーケンサ３３、ビデオミキサ３４、圧縮解凍部３５およびＣＤ−ＲＯＭドライブ３６が接続されている。また、圧縮解凍部３５にはＣＤ−ＲＯＭドライブ３６から圧縮された映像データが入力される。ＣＤ−ＲＯＭドライブ３６には１枚または複数枚のＣＤ−ＲＯＭ３７がセットされている。このＣＤ−ＲＯＭ３７には、カラオケのセカンダリ映像となるような映像データが圧縮されて複数シーン記憶されている。セカンダリ映像となるような映像データは、上述したように「カモメ」，「ヨット」や「オリジナル歌手本人」などの特別な映像データである。また、動画に限らず、静止画でもよい。このＣＤ−ＲＯＭ３７に記憶されている映像データの内容を表すデータ（「カモメ」，「ヨット」など）は、映像データテーブル（図２（Ｄ））として再生映像決定部３２に記憶されている。カラオケ装置本体１の制御部１０から送られてきたセカンダリ映像シーケンスデータは、データ受信部３１を介してＣＰＵ３０の制御のもとセカンダリ映像シーケンサ３３に入力される。このセカンダリ映像シーケンスデータは図２（Ｂ）に示した構成のデータであり、セカンダリ映像シーケンサ３３は、カラオケの演奏のスタートとともに、このシーケンスデータを順次読みだしてゆき、ヒントデータを再生映像決定部３２に入力するとともに、再生時間データｄＴをＣＤ−ＲＯＭドライブ３６に出力する。
【００１８】
再生映像決定部３２は、入力されたヒントデータおよび映像データテーブルに基づいてどの映像データを再生するかを決定する。セカンダリ映像データの表示は数秒から１分程度しか継続しないため、必ずしもチャプタの先頭から再生する必要はなく、チャプタの途中のタイミングを指定してその位置から再生を開始するようにしてもよい。これにより、再生シーンの画一性をなくしたり、一つのチャプタ内でもその曲によりマッチしたシーンを選択することができる。
【００１９】
再生映像決定部３２が決定したタイミングデータはＣＤ−ＲＯＭドライブ３６に入力される。ＣＤ−ＲＯＭドライブ３６は、入力されたタイミングデータでＣＤ−ＲＯＭ３７を検索して所定の映像データを再生する。この映像データは圧縮されているため、圧縮解凍部３５に入力され、圧縮を解除される。圧縮が解除され通常のビデオ信号にデコードされたセカンダリ映像データはビデオミキサ３４に入力される。ビデオミキサ３４においては、プライマリ映像再生機２から入力されたプライマリ映像データと該セカンダリ映像データとを合成する。一般的な合成方式としては、セカンダリ映像データの「カモメ」や「歌手本人」の映像部分以外をブルーバックにしておき、このブルーバック部分にプライマリ映像データをはめ込んで合成する方式がある。ただし、合成方式はこの方式に限定されるものではない。ビデオミキサ３４で合成された映像データはスーパーインポーズ部１２に入力される。
【００２０】
カラオケ装置本体１においてスーパーインポーズ部１２には歌詞字幕発生部１１が接続されている。歌詞字幕発生部１１は、カラオケ演奏時に制御部１０から入力される歌詞シーケンスデータに基づいて歌詞字幕の映像データを発生する回路である。歌詞シーケンスデータは、上述したように文字コードとこの文字を表示する位置データ，表示タイミング等からなるデータ列であり、順次このデータを読み出して歌詞の文字パターンを画面上に展開することにより、曲の進行に合わせて歌詞が表示される。また、色指定を順次変更することにより、歌の進行に合わせて歌詞の表示色を変えることもできる。スーパーインポーズ部１２では、ビデオミキサ３４から入力された映像データにこの歌詞字幕をスーパーインポーズで合成する。この映像データをモニタ４に入力して表示することにより、カラオケ曲固有の映像に近い背景映像（ＢＧＶ）が表示され、さらに、カラオケ曲の進行に合わせた歌詞の表示が行われる。
【００２１】
上記構成のカラオケシステムは、利用者による曲に選択に応じて図３に示すような動作を実行する。また、この動作に応じてモニタ４には図４に示すシーケンスで画面表示が行われる。ここで、図３（Ａ）はカラオケ装置本体１の動作を示すフローチャートであり、同図（Ｂ）はプライマリ映像再生機２の動作を示すフローチャートであり、同図（Ｃ）はセカンダリ映像再生機３の動作を示すフローチャートである。
【００２２】
図３（Ａ）において、利用者がリモコンを操作する等により曲が選択されると（ｎ１）、制御部１０は選択された曲の楽曲データを記憶部から検索する（ｎ２）。検索された楽曲データを読み出し（ｎ３）、この楽曲データのヘッダに含まれるジャンルデータをプライマリ映像再生機２に送出し（ｎ４）、さらに、セカンダリ映像トラックのセカンダリ映像シーケンスデータをセカンダリ映像再生機３に送出する（ｎ５）。こののち、演奏データトラックおよび歌詞トラックから順次演奏データおよび歌詞データを読み出して音源回路および歌詞字幕発生部１１に送出する（ｎ６，ｎ７）。この動作を曲が終了するまで継続して実行したのち動作を終了する（ｎ８）。
【００２３】
また、同図（Ｂ）において、プライマリ映像再生機２がカラオケ装置本体１からジャンルデータを受信すると（ｎ１０）、カラオケ演奏のスタートであると判断して、このジャンルデータを再生映像決定部２２に入力してプライマリ映像データ（のチャプタナンバ）を決定する（ｎ１１）。このチャプタナンバをＣＤ−ＲＯＭドライブ２６に指示して（ｎ１２）、映像データを読み出す（ｎ１３）。読み出された映像データは圧縮解凍部２５において圧縮を解除した（ｎ１４）のち、ビデオミキサ３４に出力する（ｎ１５）。ｎ１３以下の動作を曲が終了するまで継続して実行し（ｎ１６）、曲の終了により動作を終える。
【００２４】
また、同図（Ｃ）において、セカンダリ映像再生機３がカラオケ装置本体１からセカンダリ映像シーケンスデータを受信すると（ｎ２０）、カラオケ演奏のスタートであると判断して、このシーケンスデータをセカンダリ映像シーケンサ３３に入力する（ｎ２０）。シーケンサは、カラオケ演奏のスタートからの時間を計測しており、この時間がｄｔになると（ｎ２１）、セカンダリ映像データの表示タイミングであるとしてこのシーケンスデータを読み出して（ｎ２２）、ヒントデータを再生映像決定部３２に入力してセカンダリ映像映像データ（のタイミングデータ）を決定する（ｎ２３）。このタイミングデータをＣＤ−ＲＯＭドライブ３６に指示して（ｎ２４）、セカンダリ映像データを読み出す（ｎ２５）。読み出された映像データを圧縮解凍部３５において圧縮解凍したのち（ｎ２６）、この映像データをビデオミキサ３４に出力する（ｎ２７）。セカンダリ映像データの表示時間ｄＴが経過するまでｎ２５以下の動作を継続して実行し、ｄＴが経過するとＣＤ−ＲＯＭドライブ３６に対して映像データの読み出し終了を指示する（ｎ２９）。こののち曲が終了していなければｎ２１に戻って次のシーケンスデータのタイミングになるまで待機し（ｎ３０）、曲が終了すればそのまま動作を終える。
【００２５】
なお、この動作ではセカンダリ映像シーケンスデータのｄｔを全て曲の開始からの時間データとして処理しているが、ｄｔを直前の表示タイミングからの時間間隔とすることもできる。この場合には、タイマを表示タイミング毎にリセットすればよい。
【００２６】
また、上記動作に応じてモニタ４には図４に示すようなシーケンスで画面表示が行われる。まず、プライマリ映像再生機２がプライマリ映像データを再生し、この映像データがモニタ４に表示される。つぎに、前奏が終わり歌が始まると、この歌に進行に合わせて歌詞字幕発生部１１が歌詞字幕を発生し、この歌詞字幕が前記プライマリ映像データにスーパーインポーズで重ね合わされてモニタ４に表示される。
【００２７】
さらに、セカンダリ映像再生機３がセカンダリ映像シーケンスデータに合わせてセカンダリ映像データを再生すると、セカンダリ映像が再生される、これがプライマリ映像データに合成されて表示される。セカンダリ映像再生機３は、ＣＤ−ＲＯＭドライブ３６の立ち上がりの安定までの時間を考慮して再生開始タイミングｄｔよりも微少時間前にＣＤ−ＲＯＭ３７の駆動を開始する。そしてｄｔになったときＣＤ−ＲＯＭ３７の映像データを読み出して圧縮解凍部３５→ビテオミキサ３４に出力する。さらに、再生の終了タイミングになり映像データの出力を停止したのちＣＤ−ＲＯＭ３７の駆動を停止する。これにより、セカンダリ映像データの立ち上げ時、終了時の映像の乱れを無くしている。さらに、セカンダリ映像データはフェードイン／アウトでプライマリ映像データに挿入することもできる。この場合には、表示開始タイミングｄｔでフェードインを開始し、表示時間ｄＴの終了時にフェードアウトが終了するようにフェードイン／アウトを行う（同図右部参照）。
【００２８】
このようにこの実施例では、プライマリ映像再生機２およびセカンダリ映像再生機３を用い、プライマリ映像データとして曲を通じて表示される映像データを割り当て、セカンダリ映像データとして前記プライマリ映像に断続的に挿入される映像データを割り当てたことにより、カラオケ曲に適した一般的な映像をプライマリ映像として用い、よりその曲に適合した映像をセカンダリ映像として挿入することができる。これにより、全体としては限られた映像データでより曲想に適したＢＧＶを作成することができる。
【００２９】
なお、再生映像決定部２２，３２の選択動作は、ヒントデータに基づいてテーブルを検索して１つの映像データを選択する方式に限らず、ヒントデータをキーデータとして推論を行い適当な映像データを選択するようにしてもよい。いずれにしても、楽曲データ中にヒントデータを記憶しておき、再生映像決定部側がこのヒントデータに応じて自己が記憶している映像データから１つを選択することにより、どのような映像データをどのような楽曲データにも適用することができ、データの一般化が可能となる。
【００３０】
また、一般的な映像データをプライマリ映像データとして記憶し、特殊なシーンをセカンダリ映像データとして記憶することにより、一般的な映像データに特殊な映像データを挿入して曲想に最適なＢＧＶを作成することができる。
【００３１】
さらに、複数の映像再生機にそれぞれ異なる分類方法で分類された映像データを記憶しておき、それらを合成することによって、多様なＢＧＶを作成することができる。たとえば、第１の映像再生機には「演歌」「ポップス」「フォーク」などのように曲のジャンル別に映像データを記憶しておき、第１の映像再生機には「春」「夏」「秋」「冬」の季節ごとに分類された映像データを記憶しておく。そしてこれらを組み合わせることにより、「演歌・冬」や「フォーク・秋」のようにｍ×ｎの組み合わせの映像データを構成することが可能となる。
【００３２】
また、本実施例ではプライマリ映像データの選択をジャンルデータに基づいて行い、セカンダリ映像データの選択をセカンダリ映像シーケンスデータのヒントデータに基づいて行っているが、プライマリ映像データ，セカンダリ映像データの選択を同じ選択データで行うようにしてもよい。この場合において、プライマリ映像データに１つまたは複数のセカンダリ映像データを従属させて階層化し、プライマリ映像データが選択されたとき、それに従属しているセカンダリ映像データから適当なものを選択するようにすれば、的確な選択が可能になる。
【００３３】
また、流行りすたれのある映像をセカンダリ映像データに入れておき、曲の流行りすたれに基づいてセカンダリ映像データが記憶されたＣＤ−ＲＯＭを入れ換えるといった映像の階層化を行うこともできる。
【００３４】
なお、セカンダリ映像は、動画でも静止画でもよい。さらに、これらの映像データは圧縮データに限定されない。また、再生機の台数は２台に限定されない。より多くの台数を接続して精度を上げることができる。
【００３５】
また、上記実施例では映像再生機における再生映像決定部２２，３２およびセカンダリ映像映像シーケンサ３３をＣＰＵ２０，３０とは別の回路として構成しているが、これらをＣＰＵ２０，３０によってソフト的に処理するようにしてもよい。
【００３６】
【発明の効果】
以上のようにこの発明によれば、主映像データ記憶手段および挿入映像データ記憶手段を設けて主映像データ，挿入映像データを読み出し、これらを合成することにより、極めて多くの映像データの組み合わせを実現することができる。したがって、各映像データ記憶手段に記憶されている映像データが数種類であってもこれらを組み合わせることにより多種類の映像データを構成することができ、これを背景映像として用いることにより楽曲データと映像データとが分離したカラオケ装置でも背景映像の単調さをなくすことができる。
【図面の簡単な説明】
【図１】この発明の実施例であるカラオケシステムのブロック図
【図２】同カラオケシステムの各種データの構成を示す図
【図３】同カラオケシステム動作を示すフローチャート
【図４】同カラオケシステムのモニタの表示シーケンスを説明する図
【符号の説明】
１−カラオケ装置本体
２−プライマリ映像再生機
３−セカンダリ映像再生機
４−モニタ
１１−歌詞字幕発生部
１２−スーパーインポーズ部
２２，３２−再生映像決定部
３４−ビデオミキサ
【図１】
0003542821.tif 000002
【図２】
0003542821.tif 000003
【図３】
0003542821.tif 000004
【図４】
0003542821.tif 000005